(57)【要約】【課題】リーダ側の負荷を低減し、リーダ装置への負荷を増すことなく既に入室が許可されたユーザの入場を取り消す機能を備えた入退出管理システムを提供する。【解決手段】リーダ装置と端末装置とを有する入退出管理システムであって、リーダ装置は、開錠装置と接続されており、開錠するドアに対応したドアＩＤを端末装置に送信し、端末装置から開錠要求を受信する無線通信手段と、受信した開錠要求に基づいて、開錠装置に開錠命令を送信する制御手段とを備え、端末装置は、あらかじめ入室可能なドアに対応したドアＩＤを記憶する記憶手段と、開錠するドアに対応したドアＩＤをリーダ装置より受信し、開錠要求をリーダ装置に送信する無線通信手段と、リーダ装置より受信したドアＩＤと記憶手段に記憶された入室可能なドアに対応したドアＩＤとを照合し、一致した場合に、無線通信手段から開錠要求を送信するドアＩＤ処理手段とを備える。【選択図】        図１
2004169378.tif 000002
【特許請求の範囲】
【請求項１】
互いに無線通信可能なリーダ装置と端末装置とを有する入退出管理システムであって、
前記リーダ装置は、
開錠装置と接続されており、開錠するドアに対応したドアＩＤを前記端末装置に送信し、前記端末装置から開錠要求を受信する無線通信手段と、
受信した前記開錠要求に基づいて、前記開錠装置に開錠命令を送信する制御手段とを備え、
前記端末装置は、
あらかじめ入室可能なドアに対応したドアＩＤリストを記憶する記憶手段と、
開錠するドアに対応したドアＩＤを前記リーダ装置より受信し、前記開錠要求を前記リーダ装置に送信する無線通信手段と、
前記リーダ装置より受信した前記ドアＩＤと前記記憶手段に記憶された入室可能なドアに対応したドアＩＤリストとを照合するドアＩＤ照合手段と、
前記ドアＩＤ照合手段において、前記リーダ装置より受信した前記ドアＩＤと前記記憶手段に記憶された入室可能なドアに対応したドアＩＤリストとが一致した場合に、前記無線通信手段から開錠要求を送信する制御手段とを備える
ことを特徴とする入退出管理システム。
【請求項２】
互いに無線通信可能なリーダ装置と端末装置とを有する入退出管理システムであって、
前記リーダ装置は、
開錠装置と接続されており、開錠するドアに対応したドアＩＤを前記端末装置に送信し、前記端末装置より開錠要求と端末ＩＤとを受信する無線通信手段と、
あらかじめ端末ＩＤリストを記憶した記憶手段と、
受信した端末ＩＤと前記記憶手段に記憶された端末ＩＤリストとを照合する端末ＩＤ照合手段と、
前記端末ＩＤ処理手段による照合の結果、前記端末装置より受信した端末ＩＤが前記記憶手段に記憶された端末ＩＤリストのいずれとも一致しない場合、受信した開錠要求に基づいて前記開錠装置に開錠命令を送信する制御手段とを備え、
前記端末装置は、
あらかじめ入室可能なドアに対応したドアＩＤリストおよび端末ＩＤを記憶する記憶手段と、
開錠するドアに対応したドアＩＤを前記リーダ装置より受信し、前記リーダ装置に開錠要求と端末ＩＤとを送信する無線通信手段と、
前記リーダ装置より受信したドアＩＤと前記記憶手段に記憶されたドアＩＤリストとを照合するドアＩＤ照合手段と、
前記ドアＩＤ照合手段において、前記リーダ装置より受信した前記ドアＩＤと前記記憶手段に記憶された入室可能なドアに対応したドアＩＤリストとが一致した場合に、前記無線通信手段から開錠要求と端末ＩＤとを送信する制御手段とを備える
ことを特徴とする入退出管理システム。
【請求項３】
請求項２に記載の入退出管理システムにおいて、
前記リーダ装置の記憶手段には、開錠を行わない端末ＩＤが記憶されていることを特徴とする入退出管理システム。
【請求項４】
請求項２または３に記載の入退出管理システムにおいて、
前記記憶手段は、前記端末ＩＤとともに、この端末ＩＤを使用できる有効期限を記憶し、
前記制御手段は、前記有効期限を過ぎると記録手段から、前記端末ＩＤとその有効期限とを削除することを特徴とする入退出管理システム。
【請求項５】
請求項１ないし４のいずれか１項に記載した入退出管理システムで用いる端末装置であって、
あらかじめ入室可能なドアに対応したドアＩＤリストを記憶する記憶手段と、
開錠するドアに対応したドアＩＤをリーダ装置より受信し、開錠要求を前記リーダ装置に送信する無線通信手段と、
前記リーダ装置より受信したドアＩＤと前記記憶手段に記憶された入室可能なドアに対応したドアＩＤリストとを照合するドアＩＤ照合手段と、
前記ドアＩＤ照合手段において、前記リーダ装置より受信した前記ドアＩＤと前記記憶手段に記憶された入室可能なドアに対応したドアＩＤリストとが一致した場合に、前記無線通信手段から開錠要求を送信する制御手段とを備える
ことを特徴とする端末装置。
【請求項６】
開錠するドアに対応したドアＩＤをリーダ装置から端末装置に送信するドアＩＤ送信ステップと、
送信された前記ドアＩＤと前記端末装置に記憶された入室可能なドアに対応するドアＩＤリストとを照合するドアＩＤ照合ステップと、
前記ドアＩＤ照合ステップにおいて、前記ドアＩＤが前記端末装置に記憶された入室可能なドアに対応するドアＩＤと一致した場合に、開錠要求をリーダ装置に送信する開錠要求送信ステップと、
前記端末装置から送信された開錠要求に応じて、開錠装置に開錠命令を送信する開錠命令送信ステップと
を有することを特徴とする入退出管理方法。
【請求項７】
開錠するドアに対応したドアＩＤをリーダ装置から端末装置に送信するドアＩＤ送信ステップと、
送信された前記ドアＩＤと前記端末装置に記憶された入室可能なドアに対応するドアＩＤリストとを照合するドアＩＤ照合ステップと、
前記ドアＩＤ照合ステップにおいて、前記ドアＩＤが前記端末装置に記憶された入室可能なドアに対応するドアＩＤリストと一致した場合に、開錠要求と前記端末装置を識別する端末ＩＤとをリーダ装置に送信する開錠要求送信ステップと、
前記開錠要求送信ステップにおいて送信された端末ＩＤとリーダ装置に記憶された端末ＩＤとを照合する端末ＩＤ照合ステップと、
前記端末ＩＤ照合ステップによる照合の結果、前記端末ＩＤがリーダ装置に記憶された端末ＩＤのいずれとも一致しない場合、前記開錠要求に基づいて前記開錠装置に開錠命令を送信する開錠命令送信ステップと
を有することを特徴とする入退出管理方法。
【請求項８】
請求項７に記載の入退出管理方法において、
前記リーダ装置には開錠を行わない端末ＩＤが記憶されていることを特徴とする入退出管理方法。
【請求項９】
請求項７または８に記載の入退出管理方法において、
前記リーダ装置には、前記端末ＩＤとともに、この端末ＩＤを使用できる有効期限を記憶され、
前記有効期限を過ぎると記録手段から、前記端末ＩＤとその有効期限とを削除する端末ＩＤ削除ステップを有することを特徴とする入退出管理方法。
【発明の詳細な説明】
【０００１】
【発明の属する技術分野】
本発明は、携帯電話、携帯用情報端末機器（Ｐｅｒｓｏｎａｌ  Ｄｉｇｉｔａｌ  Ａｓｓｉｓｔａｎｔ：  ＰＤＡ）などのモバイル端末を用いた入退出管理システムに関する。
【０００２】
【従来の技術】
従来、建物、研究施設などにおいては、例えば、ＩＤ番号など個人を識別する情報が書き込まれているＩＣカードと、ＩＣカードに書き込まれているＩＤ番号を読み取るカードリーダと、カードリーダ毎に、入室が許可されている人のＩＤ番号を示すＩＤ番号リストを格納し、カードリーダから送られてきたＩＤ番号がそのカードリーダのＩＤ番号リストにあるか否かをチェックし、ＩＤ番号リストにあった場合には許可されている旨の結果を、ＩＤ番号リストになかった場合には許可されていない旨の照合結果をカードリーダへ送る照合装置とから構成される入退出管理システムが用いられている。
【０００３】
この入退出管理システムにおいては、ＩＣカードがカードリーダにセットされると、ＩＣカードに書き込まれているＩＤ番号が、カードリーダに読み込まれ、読み込まれたＩＤ番号は、照合装置に送られる。照合装置に受信されたＩＤ番号は、そのカードリーダのＩＤ番号リストにあるか否かをチェックされ、ＩＤ番号リストにあった場合には許可されている旨の照合結果がカードリーダに送られ、このカードリーダが設置されている出入り口のドアの電気錠が開錠され、ＩＤ番号リストになかった場合には許可されていない旨の照合結果がカードリーダに送られ、電気錠の開錠は行われず、入室が拒否される。
【０００４】
また、ＩＣカードの代わりに携帯電話を用いた例として、ドアから携帯電話へドア識別情報を発信し、このドア識別情報を受信した携帯電話は、電話網を介して管理者端末装置に開錠要求を出し、認証が得られた場合には許可証を受信し、ドアに対して開錠を要求する旨の信号を送信する入退出管理システムが開示されている（例えば、特許文献１）。
また、携帯電話から、ユーザ情報をゲートに送信し、ユーザ情報を受信したゲートは許可判断を行い、許可する場合には暗証番号を携帯電話側に返信し、ユーザはその暗証番号をゲートに入力することにより、ゲートの開錠を行う入退出システムが開示されている（例えば特許文献２）。
【０００５】
【特許文献１】
特開２００２−１６１６５６
【特許文献２】
特開２００２−２１３１２６
【０００６】
【発明が解決しようとする課題】
しかし、従来の入退出システムは以下のような問題があった。
従来の入退出管理システムにおいては、リーダ側で、ＩＣカードまたは端末装置に記憶されているＩＤ番号と、このリーダに備えられたカードリーダのＩＤ番号リストとが照合される。このため、リーダには、このカードリーダ毎または携帯電話毎のＩＤ番号リストを格納するための大容量のメモリが必要であった。
【０００７】
また、従来の入退出管理システムにおいて、既に入室が許可されたユーザの入場を取り消す機能を実現する場合には、リーダ側に、ユーザを識別し、入場を許可するＩＤ番号のリストを保持させ、このリストからＩＤ番号を削除することにより取り消す必要があった。
このようなシステムでは、リーダ側には、入室を許可するユーザのＩＤ番号リストを保持する大容量メモリと、このＩＤ番号リストを管理する機能とが必要となる。このシステムを、大規模建物で使用した場合には、数千〜数万のＩＤ番号が必要となる。このため、ＩＤ番号が増加するにしたがい、リーダ装置への処理の負荷および装置の複雑化を招くという問題があった。
【０００８】
また、リーダ装置への処理の負荷および装置の複雑化を招く問題を解決する方法として、通信網に接続されたサーバに、ユーザを識別し入場を許可するＩＤ番号のリストを保持し、端末装置は、まずサーバとの通信を行うことにより、この端末装置のＩＤ番号とこのサーバで管理されている入場を許可するＩＤ番号のリストとを照合することにより入場が許可されているがどうかの判断を行うようにする方法がある。しかし、サーバとパケット通信を行うための時間が必要であることや、地下や超高層ビルなど、端末装置の電波が届かない場所では利用できないという問題がある。
【０００９】
そこで、本発明は、前述した従来技術の問題点や課題を解決するためになされたものであり、その目的は、リーダ側の負荷を低減した入退出管理システム、また、リーダ装置への負荷を増すことなく既に入室が許可されたユーザの入場を取り消す機能を備えた入退出管理システムを提供することを目的とする。
【００１０】
【課題を解決するための手段】
上述した目的を達成するために、本発明にかかる入退出管理システムは、互いに無線通信可能なリーダ装置と端末装置とを有する入退出管理システムであって、リーダ装置は、開錠装置と接続されており、開錠するドアに対応したドアＩＤを端末装置に送信し、端末装置から開錠要求を受信する無線通信手段と、受信した開錠要求に基づいて、開錠装置に開錠命令を送信する制御手段とを備え、端末装置は、あらかじめ入室可能なドアに対応したドアＩＤリストを記憶する記憶手段と、開錠するドアに対応したドアＩＤをリーダ装置より受信し、開錠要求をリーダ装置に送信する無線通信手段と、リーダ装置より受信したドアＩＤと記憶手段に記憶された入室可能なドアに対応したドアＩＤリストとを照合するドアＩＤ照合手段と、ドアＩＤ照合手段において、リーダ装置より受信したドアＩＤと記憶手段に記憶された入室可能なドアに対応したドアＩＤリストとが一致した場合に、無線通信手段から開錠要求を送信する制御手段とを備えるようにしたものである。
【００１１】
本発明において、端末装置は、記憶手段に記憶された入室可能なドアに対応したドアＩＤとリーダ装置から受信した開錠するドアに対応したドアＩＤとを照合することにより、リーダ装置に対し開錠要求をするか否かを判断する。
【００１２】
また、互いに無線通信可能なリーダ装置と端末装置とを有する入退出管理システムであって、リーダ装置は、開錠装置と接続されており、開錠するドアに対応したドアＩＤを端末装置に送信し、端末装置より開錠要求と端末ＩＤとを受信する無線通信手段と、あらかじめ端末ＩＤリストを記憶した記憶手段と、受信した端末ＩＤと記憶手段に記憶された端末ＩＤリストとを照合する端末ＩＤ照合手段と、端末ＩＤ処理手段による照合の結果、端末装置より受信した端末ＩＤが記憶手段に記憶された端末ＩＤリストのいずれとも一致しない場合、受信した開錠要求に基づいて開錠装置に開錠命令を送信する制御手段とを備え、端末装置は、あらかじめ入室可能なドアに対応したドアＩＤリストおよび端末ＩＤを記憶する記憶手段と、開錠するドアに対応したドアＩＤをリーダ装置より受信し、リーダ装置に開錠要求と端末ＩＤとを送信する無線通信手段と、リーダ装置より受信したドアＩＤと記憶手段に記憶されたドアＩＤリストとを照合するドアＩＤ照合手段と、ドアＩＤ照合手段において、リーダ装置より受信したドアＩＤと記憶手段に記憶された入室可能なドアに対応したドアＩＤリストとが一致した場合に、無線通信手段から開錠要求と端末ＩＤとを送信する制御手段とを備えるようにしたものである。
【００１３】
本発明において、リーダ装置は、端末装置から送信された開錠要求と端末ＩＤとに基づき、端末装置が入場を拒否された端末でないかを判断することにより、開錠するか否かを判断する。ここで、入場を拒否された端末とは、入場を許可された端末ＩＤで、例えば端末の盗難などにより、急遽入場を取り消す必要が生じた端末を含む。このような端末の数は、入場を許可された端末の数より極端に少ない。
【００１４】
さらに、リーダ装置の記憶手段には、開錠を行わない端末ＩＤを記憶するようにしたものである。
開錠を行わない端末ＩＤの数は、開錠を行う端末ＩＤの数より極端に少ないため、この開錠を行わない端末ＩＤを記憶させることにより、リーダ装置に必要な記憶容量を低減し、また照合に費やす時間を短縮する。
さらに、記憶手段は、端末ＩＤとともに、この端末ＩＤを使用できる有効期限を記憶し、制御手段は、有効期限を過ぎると記録手段から、端末ＩＤとその有効期限とを削除するようにしたものである。
このようにすることにより、端末ＩＤリストを格納するための記憶容量の増大を防止する。
【００１５】
本発明にかかる端末装置は、上述した入退出管理システムで用いる端末装置であって、あらかじめ入室可能なドアに対応したドアＩＤリストを記憶する記憶手段と、開錠するドアに対応したドアＩＤをリーダ装置より受信し、開錠要求をリーダ装置に送信する無線通信手段と、リーダ装置より受信したドアＩＤと記憶手段に記憶された入室可能なドアに対応したドアＩＤリストとを照合するドアＩＤ照合手段と、ドアＩＤ照合手段において、リーダ装置より受信したドアＩＤと記憶手段に記憶された入室可能なドアに対応したドアＩＤリストとが一致した場合に、無線通信手段から開錠要求を送信する制御手段とを備えるようにしたものである。
このようにすることにより、端末装置側で、リーダ装置に対し開錠要求を行うか否かを判断する。
【００１６】
また、本発明にかかる入退出管理方法は、開錠するドアに対応したドアＩＤをリーダ装置から端末装置に送信するドアＩＤ送信ステップと、送信されたドアＩＤと端末装置に記憶された入室可能なドアに対応するドアＩＤリストとを照合するドアＩＤ照合ステップと、ドアＩＤ照合ステップにおいて、ドアＩＤが端末装置に記憶された入室可能なドアに対応するドアＩＤと一致した場合に、開錠要求をリーダ装置に送信する開錠要求送信ステップと、端末装置から送信された開錠要求に応じて、開錠装置に開錠命令を送信する開錠命令送信ステップとを有する方法である。
このようなステップを有することにより、端末装置側で、リーダ装置に対し開錠要求をするか否かを判断する。
【００１７】
また、開錠するドアに対応したドアＩＤをリーダ装置から端末装置に送信するドアＩＤ送信ステップと、送信されたドアＩＤと端末装置に記憶された入室可能なドアに対応するドアＩＤリストとを照合するドアＩＤ照合ステップと、ドアＩＤ照合ステップにおいて、ドアＩＤが端末装置に記憶された入室可能なドアに対応するドアＩＤリストと一致した場合に、開錠要求と端末装置を識別する端末ＩＤとをリーダ装置に送信する開錠要求送信ステップと、開錠要求送信ステップにおいて送信された端末ＩＤとリーダ装置に記憶された端末ＩＤとを照合する端末ＩＤ照合ステップと、端末ＩＤ照合ステップによる照合の結果、端末ＩＤがリーダ装置に記憶された端末ＩＤのいずれとも一致しない場合、開錠要求に基づいて開錠装置に開錠命令を送信する開錠命令送信ステップとを有する方法である。
【００１８】
このようなステップを設けたことにより、リーダ装置側で、端末装置から送信された開錠要求および端末ＩＤに基づき、端末装置が入場を拒否された端末でないかを判断することにより、開錠するか否かを判断する。ここで、入場を拒否された端末とは、入場を許可された端末ＩＤで、例えば端末の盗難などにより、急遽入場を取り消す必要が生じた端末を含む。このような端末の数は、入場を許可された端末の数より極端に少ない。
【００１９】
さらに、リーダ装置は開錠を行わない端末ＩＤを記憶するようにした方法である。
開錠を行わない端末ＩＤの数は、開錠を行う端末ＩＤの数より少ないため、この開錠を行わない端末ＩＤを記憶させることにより、リーダ装置に必要な記憶容量を低減し、また照合に費やす時間を短縮する。
さらに、リーダ装置には、端末ＩＤとともに、この端末ＩＤを使用できる有効期限を記憶され、有効期限を過ぎると記録手段から、端末ＩＤとその有効期限とを削除する端末ＩＤ削除ステップを有する方法である。
このようにすることにより、端末ＩＤリストを格納するための記憶容量の増大を防止する。
【００２０】
【発明の実施の形態】
次に、本発明の実施の形態について図面を参照して説明する。
なお、実施の形態を説明するための全図において、同一機能を有するものは同一符号を用い、繰り返しの説明は省略する。
【００２１】
図１は、本発明の実施の形態１にかかる入退出管理システムを示す構成図である。
本発明の実施の形態にかかる入退出管理システムは、リーダ装置２と端末装置３とを備え、これらは赤外線などの近距離無線通信機能による無線通信可能である。また、リーダ装置２はネットワーク７を介して管理者端末装置６と接続されており、この管理者端末装置より各種データを受け取り可能である。またネットワーク７を介してコントローラ４とも接続されており、このコントローラ４に電気錠５を開閉するコマンドを送ることができる。
また、端末装置３は、ネットワーク１を介して、管理者端末装置６と接続可能である、この管理者端末装置６より各種データを受け取ることが可能である。
【００２２】
ネットワーク１としては、専用回線、公衆回線網、インターネットなどのＬＡＮ、ＷＡＮなど、任意の形態のネットワークを用いることができる。
リーダ装置２について説明する。
リーダ装置２は、図２（ａ）に示すように、無線通信部２−１と、制御部２−２と、記憶部２−３とを備える。
無線通信部２−１は、例えば無線ＬＡＮ、Ｂｌｕｅｔｏｏｔｈ、赤外線通信機能などの近距離無線通信機能を備える。
記憶部２−３は、書き換え可能なメモリであり、ドアＩＤ２−３１を記憶している。ここで、ドアＩＤ２−３１は、このリーダ装置２が備えられたドアに対応する識別ＩＤである。
【００２３】
この制御部２−２は、図３（ａ）に示すように、インターフェース（ＩＦ）装置２−２１と、演算装置２−２２と、記憶装置２−２３とにより構成される。これらのハードウエア資源が記憶装置２−２３に記憶されたリーダ装置用入退出管理プログラム２−２３１のもとで動作することにより、上述した各部の機能を実現する。ここで、リーダ装置用入退出管理プログラム２−２３１は、リーダ装置２を制御部２−２として機能させるプログラムである。
制御部２−２は、リーダ装置２が端末装置３から入室操作信号を受信すると、後述する記憶部２−３に記憶されたドアＩＤ２−３１を読み出し、無線通信部２−１に送信させる。また、端末装置３から開錠要求を受信すると、ネットワーク７を介して、後述するコントローラ４に対して、開錠命令を送信する。
また、記憶部２−３に記憶するドアＩＤは、リーダ装置２に装着されたロータリスイッチで設定する。または、後述する管理者端末装置６からネットワーク７を経由して設定してもよい。
【００２４】
ＩＦ装置２−２１は、ネットワーク７を介して、管理者装置６等に接続される。
また、記憶装置２−２３は、リーダ装置用入退出管理プログラム２−２３１を記憶する。このリーダ装置用入退出管理プログラム２−２３１は、ネットワーク７経由で管理者端末装置６から提供される。
【００２５】
また、リーダ装置用入退出管理プログラム２−２３１は、ソフトウエアパッケージ、例えばＣＤ−ＲＯＭ、ＲＯＭ、ＲＡＭ、フレキシブルディスク、メモリカードなどの情報記憶媒体によって提供されるようにしてもよい。この場合、リーダ装置用入退出管理プログラム２−２３１を記憶した記憶媒体は、リーダ装置２に接続されたドライブ装置にセットされ、プログラムが記憶媒体からドライブ装置を介して記憶装置２−２３にインストールされる。
制御部２−２は、インストールされたリーダ装置用入退出管理プログラム２−２３１を記憶装置２−２３に格納するとともに、必要なファイル、データ等を記憶部２−３に格納する。
【００２６】
次に、端末装置３について説明する。
端末装置３は、図２（ｂ）に示すように、無線通信部３−１と、制御部３−２と、ドアＩＤ照合部３−３と、記憶部３−４と、表示部３−５と、入力部３−６とを備える。
無線通信部３−１は、例えば無線ＬＡＮ、Ｂｌｕｅｔｏｏｔｈ、赤外線通信機能などの近距離無線通信機能を備え、上述したリーダ装置２との間で通信を行う第１の無線通信部３−１１と、基地局（図示なし）との間で所定の周波数帯域の電波の送受信を行い、一般電話網やインターネットにアクセスする第２の無線通信部３−１２とを備える。
【００２７】
表示部３−５は、ユーザに対するメッセージなど各種情報を表示する。入力部３−６は、入室操作など各種操作を行う。
ドアＩＤ照合部３−３は、ハードウエアと、後述する端末装置用入退出管理プログラム３−２３１により実施され、リーダ装置２より送信されたドアＩＤ２−３１と、記憶部３−４に記憶されたドアＩＤリスト３−４１とを照合し、その結果を制御部３−２に入力する。
記憶部３−４は、ドアＩＤリスト３−４１を記憶する。ここで、ドアＩＤリスト３−４１は、この端末装置３で入室可能であるドアに対応するドアＩＤのリストである。
【００２８】
制御部３−２は、ユーザの入室操作により、リーダ装置２に対し、無線操作部３−１に入室操作信号を送信させる。
また、リーダ装置２から開錠するドアに対応したドアＩＤを受信し、受信したドアＩＤと、後述する記憶部３−４に記憶されたドアＩＤリスト３−４１とをドアＩＤ照合部３−３に照合させる。また、ドアＩＤ照合部３−３による照合の結果に応じて、リーダ装置２に対し。第１の無線通信部３−１１に開錠要求を送信させる。
【００２９】
また、後述する管理者端末装置６から送信されたドアＩＤリスト３−４１を受信し、記憶部３−４に記憶させる。
また、この制御部３−２およびドアＩＤ照合部３−３は、図３（ｂ）に示すように、インターフェース（ＩＦ）装置３−２１と、演算装置３−２２と、記憶装置３−２３とにより構成される。これらのハードウエア資源が記憶装置３−２３に記憶された端末装置用入退出管理プログラム３−２３１のもとで動作することにより、上述した各部の機能を実現する。ここで、端末装置用入退出管理プログラム３−２３１は、端末装置３を制御部３−２として機能させるプログラムである。
ＩＦ装置３−２１は、ネットワーク１を介して、管理者装置６等に接続される。
また、端末装置用入退出管理プログラム３−２３１は、ネットワーク１経由で管理者端末装置６から提供され、記憶装置３−２３に記憶される。
【００３０】
また、端末装置用入退出管理プログラム３−２３１は、ソフトウエアパッケージ、例えばＣＤ−ＲＯＭ、ＲＯＭ、ＲＡＭ、フレキシブルディスク、メモリカードなどの情報記憶媒体によって提供されるようにしてもよい。この場合、リーダ装置用入退出管理プログラム３−２３１を記憶した記憶媒体は、端末装置３に接続されたドライブ装置にセットされ、プログラムが記憶媒体からドライブ装置を介して記憶装置３−２３にインストールされる。
また、制御部３−２は、インストールされた端末装置用入退出管理プログラム３−２３１を記憶装置３−２３に格納するとともに、必要なファイル、データ等を記憶部３−４に格納する。
【００３１】
コントローラ４は、例えば開錠装置であり、リーダ装置４からの開錠命令にしたがって、後述する電気錠５を制御することによりドアの開錠を行う。
電気錠５は、コントローラ４の制御によりドアの開錠を行う。
【００３２】
管理者端末装置６は、送受信部６−１と、制御部６−２と、入力部６−３と、記憶部６−４とを備える。
送受信部６−１は、コントローラ４およびリーダ装置２と例えばＬＡＮなどにより接続されている。
入力部６−３は、ドアＩＤ２−３１、リーダ装置用入退出管理プログラム２−２３１、ドアＩＤリスト３−４１、端末装置用入退出管理プログラム３−２３１、および管理者端末装置用入退出管理プログラムの入力を行う。
記憶部６−４は、ドアＩＤ２−３１、リーダ装置用入退出管理プログラム２−２３１、ドアＩＤリスト３−４１、および端末装置用入退出管理プログラム３−２３１を記憶する。
【００３３】
制御部６−２は、受信されたコントローラ４からの各種信号の解析を行う。
また、記憶部６−４に記憶されたドアＩＤリスト３−４１および端末装置用入退出管理プログラム３−２３１を端末装置３に対して、送受信部６−１に送信させる。例えば、管理者端末装置６は、端末装置３に対して、記憶部６−４に格納された各端末装置に対応したドアＩＤリスト３−４１および端末装置用入退出管理プログラム２−２３１をダウンロードするためのインターネット上のサイトのＵＲＬを記述した電子メールを送信する。
この電子メールを受信した端末装置３のユーザは、管理者端末装置６にアクセスし、所定のデータやプログラムをダウンロードすることができる。
また、制御部６−２は、リーダ装置用入退出管理プログラム２−２３１を、リーダ装置２に、ネットワーク７を介して送信させる。また、リーダ装置２に対して、ドアＩＤをネットワーク７を経由して設定する。
【００３４】
また、この制御部６−２は、インターフェース（ＩＦ）装置と、演算装置と、記憶装置とにより構成される。これらのハードウエア資源が記憶装置に記憶された管理者端末装置用入退出管理プログラムのもとで動作することにより、上述した各部の機能を実現する。ここで、管理者端末用入退出管理プログラムは、管理者端末装置６を制御部６−２として機能させるプログラムである。
ＩＦ装置は、ネットワーク１を介して、端末装置３等に接続される。
【００３５】
次に、本実施の形態１にかかる入退出管理システムの動作について、図４、図５を参照して説明する。
ここでは、リーダ装置２には、このリーダ装置２に対応するコントローラ４と電気錠５に関するドアＩＤ２−３１、リーダ装置用入退出管理プログラム２−２３１がすでにインストールされ、端末装置３にはドアＩＤリスト３−４１および端末装置用入退出管理プログラム３−２３１がすでにインストールされている場合について説明する。
【００３６】
まず、ユーザが入力部３−６を操作することによる入室操作が検出されると（Ｓ４０１：Ｙ）、携帯端末３側からリーダ装置２に入室操作が行われた旨の信号が送信される（Ｓ４０２）。
リーダ装置２は、端末装置３から入室操作信号を受信すると（Ｓ４０３：Ｙ）、記憶部２−３に記憶されているこのリーダ装置２が備えられたドアに対応するドアＩＤ２−３１を端末装置３に送信する（Ｓ４０４）。
端末装置３は、リーダ装置２からドアＩＤ２−３１を受信すると（Ｓ４０５）、このドアＩＤ２−３１と、記憶部３−４に記憶されたドアＩＤリスト３−４１とを照合し（Ｓ４０６）、一致した場合（Ｓ５０１：Ｙ）にリーダ装置２に開錠要求を送信する（Ｓ５０２）。一致しない場合には端末装置に入室が不許可である旨を表示部３−５に表示する（Ｓ５０３）。
リーダ装置２は、開錠要求を受信すると（Ｓ５０４）、コントローラ４に開錠命令を送信する（Ｓ５０５）。コントローラ４は、リーダ装置２からの開錠命令により、電気錠５を制御することにより開錠を行う（Ｓ５０６）。
【００３７】
次に、この入退出管理システムにおける端末装置３の動作について、図６を参照して説明する。
まず、ユーザが入力部３−６を操作することによる入室操作を検出すると（Ｓ６０１：Ｙ）、携帯端末３は、リーダ装置２に入室操作が行われた旨の信号を送信する（Ｓ６０２）。
この入室操作に対して、リーダ装置２からのドアＩＤを受信すると（Ｓ６０３：Ｙ）、このドアＩＤと、記憶部３−４に記憶されたドアＩＤリスト３−４１とを照合し（Ｓ６０５）、一致した場合（Ｓ６０６：Ｙ）にリーダ装置２に開錠要求を送信し（Ｓ６０７）、一致しない場合には（Ｓ６０６：Ｎ）、入室ができない旨を表示部３−５に表示する（Ｓ６０８）。
また、リーダ装置２から一定の時間が経過してもドアＩＤが受信されない場合（Ｓ６０４：Ｙ）には、入室が不許可である旨を表示する（Ｓ６０８）。
【００３８】
上述のように実施の形態１にかかる入退出管理システムでは、端末装置３側に、入室を許可するドアのドアＩＤリスト３−４１とを備え、このドアＩＤリスト３−４１と、入室しようとするドアに対応するドアＩＤ２−３１とを照合することにより、開錠要求の可否の判断を行うことができるため、リーダ装置２側に入室を許可する端末装置のリストを格納するための大容量のメモリを必要とせず、入退出管理を行うことができる。
【００３９】
次に、実施の形態２にかかる入退出管理システムについて説明する。
実施の形態２にかかる入退出管理システムは、実施の形態１と比較して、リーダ装置２が、端末ＩＤ照合部２−４を備え、記憶部２−３に端末ＩＤリスト２−３２を備え、また、端末装置３が、記憶部３−４に端末ＩＤ３−４２を備える点で異なる。
この端末ＩＤリスト２−３３は、入室許可が取り消された端末装置の端末ＩＤのリストである。
以下、実施の形態１において説明した入退出管理システムと共通する構成要素については同一の符号を付し、その説明は省略する。
【００４０】
リーダ装置２において、端末ＩＤ照合部２−４は、端末装置３より送信された端末ＩＤ３−４２と記憶部２−３に記憶された端末ＩＤリスト２−３２とを照合し、この照合の結果を制御部２−２に入力する。
制御部２−２は、端末ＩＤ照合部２−４から入力された照合の結果に基づき、端末ＩＤ３−４２が記憶部２−３に記憶された端末ＩＤリスト２−３２のいずれとも一致しない場合には、入力された開錠要求に基づいて、コントローラ４に対し開錠命令を送信する。
【００４１】
また、端末装置３において、記憶部３−４は、端末ＩＤ３−４２を記憶する。この端末ＩＤ３−４２は、この端末装置を他の端末装置と識別するための識別ＩＤである。
【００４２】
一方、上述した端末ＩＤリスト２−３２および端末ＩＤ３−４２の入力は、管理者端末装置６の入力部６−３により行われ、記憶部６−４に記憶される。また、制御部６−２は、端末ＩＤリスト２−３２および端末ＩＤ３−４２を、リーダ装置２および端末装置３に対して、電気通信回線を通じて送信する。
【００４３】
次に、本実施の形態２にかかる入退出管理システムの動作について、図８、図９を参照して説明する。
リーダ装置２、端末装置３、および管理者端末装置６には、必要なプログラムおよびデータは、既にインストールされているものとする。
【００４４】
まず、ユーザが入力部３−６を操作することによる入室操作が検出されると（Ｓ８０１：Ｙ）、携帯端末３側からリーダ装置２に入室操作が行われた旨の信号が送信される（Ｓ８０２）。
リーダ装置２は、端末装置３から入室操作信号を受信すると（Ｓ８０３：Ｙ）、記憶部２−３に記憶されているドアＩＤ２−３１を端末装置３に送信する（Ｓ８０４）。
端末装置３は、リーダ装置２からドアＩＤ２−３１を受信すると（Ｓ８０５）、このドアＩＤ２−３１と、記憶部３−４に記憶されたドアＩＤリスト３−４１とを照合し（Ｓ８０６）、一致した場合（Ｓ９０１：Ｙ）にリーダ装置２に開錠要求と端末ＩＤ３−４２とを送信する（Ｓ９０２）。一致しない場合（Ｓ９０１：Ｎ）には端末装置は入室が不許可である旨を表示する（Ｓ９０３）。
【００４５】
リーダ装置２は、開錠要求と端末ＩＤ３−４２とを受信すると（Ｓ９０４）、端末ＩＤ照合部２−４は、入力された端末ＩＤ３−４２と、記憶部２−３に記憶された端末ＩＤリスト２−３２とを照合し（Ｓ９０５）、照合結果を制御部２−２に入力する。
【００４６】
制御部２−２は、一致しない旨の照合結果が入力された場合（Ｓ９０６：Ｙ）には、コントローラ４に対して開錠命令を送信する（Ｓ９０７）。一致する旨の照合結果を受信した場合（Ｓ９０６：Ｎ）には、端末装置３に対して、入室できない旨の通知を行う（Ｓ９０８）。
リーダ装置２から、開錠命令を受信したコントローラ４は、電気錠５を制御することにより開錠を行う（Ｓ９０９）。
【００４７】
次に、この入退出管理システムにおける端末装置３の動作について、図１０を参照して説明する。
まず、ユーザが入力部３−６を操作することによる入室操作が検出されると（Ｓ１００１：Ｙ）により、リーダ装置２に入室操作が行われた旨の信号を送信する（Ｓ１００２）。
この入室操作により、リーダ装置２からのドアＩＤを受信すると（Ｓ１００３：Ｙ）、このドアＩＤと、記憶部３−４に記憶されたドアＩＤリスト３−４１とを照合し（Ｓ１００５）、一致した場合（Ｓ１００６：Ｙ）にリーダ装置２に開錠要求と端末ＩＤ３−４２とを送信し（Ｓ１００７）、一致しない場合（Ｓ１００６：Ｎ）には、入室ができない旨を表示部３−５に表示する（Ｓ１００８）。
また、リーダ装置２からドアＩＤが受信されず（Ｓ１００３：Ｎ）、一定の時間が経過した場合（Ｓ１００４：Ｙ）には、表示部３−５に入室が不許可である旨を表示する（Ｓ１００８）。
リーダ装置２から入室できない旨の信号を受信した場合には（Ｓ１００９）、その旨を表示部３−５に表示する（Ｓ１０１０）。
【００４８】
上述のように実施の形態２にかかる入退出管理システムでは、リーダ装置２側に、端末ＩＤ照合部２−４と、記憶部２−３に入室許可が取り消された端末装置の端末ＩＤリスト２−３２を備えたことにより、この端末ＩＤリスト２−３２と、入室しようとする端末装置３に対応する端末ＩＤ３−４２とを照合することにより、開錠要求の可否の判断を行うことができる。ここで、入場許可を取り消した端末ＩＤリストに含まれる端末ＩＤの数は、入室を許可する端末ＩＤの数よりも少ないため、その記憶容量を小さくすることができる。
また、リーダ装置２側に入室を許可する端末装置のリストを格納するための大容量のメモリを必要とせず、またリーダ装置への処理の負荷および装置の複雑化を招くことなく、既に入室が許可されたユーザの入場を取り消す機能を実現することができる。
また、端末ＩＤ照合部２−４で行われる照合処理のための時間も、数が少ないため短くすることができる。
【００４９】
実施の形態２においては、端末装置３において、リーダ装置２から受信したドアＩＤ２−３１と、記憶部３−４に記憶されたドアＩＤリスト３−４１との照合を行い、ドアＩＤリスト３−４１と受信したドアＩＤ２−３１とが一致した場合に、端末装置３から開錠要求と端末ＩＤ３−４２とがリーダ装置２に送信される場合について説明したが、まず、端末装置３から端末ＩＤ３−４２をリーダ装置２へ送信し、この端末ＩＤ３−４２と端末ＩＤリスト２−３２との照合を行うようにしてもよい。このようにすることにより、端末装置３から送信された端末ＩＤ３−４２が端末ＩＤリスト２−３２と一致する場合には、その後の処理は行われないため、ドアＩＤ２−３１を送信する手間を省くことができる。
【００５０】
この場合、端末ＩＤリスト２−３２と照合された結果、一致する端末ＩＤ３−４２に対応する端末装置３の記憶部３−３から、この端末ＩＤ３−４２を送信したドアに対応するドアＩＤを削除するようにしてもよい。このようにすることにより、ドアＩＤリスト３−４１を格納する記憶容量を減らすことができる。
【００５１】
また、実施の形態２においては、リーダ装置２に端末ＩＤリストを備えた場合について説明したが、大規模建物においては、この端末ＩＤリストを管理者端末装置６に備え、管理者端末装置６により照合処理を行うようにしてもよい。この場合、リーダ装置２から管理者端末装置６へは入室しようとするユーザの端末ＩＤ３−４２のみを送信すればよく、ネットワークトラフィックの負荷を増大させることなくできる。
【００５２】
また、実施の形態２においては、端末ＩＤリスト２−３２に含まれる入場許可を取り消した端末装置の数が少ない場合について説明したが、入場許可の取り消しが頻繁に発生した場合には、この端末ＩＤリスト２−３２の記憶容量が大きくなる。たとえば、一時利用者や短期利用者が多く発生した場合には、この端末ＩＤリスト２−３２の格納領域の最大値を超えてしまう危険がある。
このような場合には、端末装置３の記憶部３−４に記憶されているドアＩＤリスト３−４１に入室可能であるドアに対応するドアＩＤのリストとともに、その入室可能である有効期限を記憶することで対応できる。このようにすることにより、端末装置３は、リーダ装置２から受信したドアＩＤ２−３２とドアＩＤリスト３−４１とを照合する場合に、有効期限のチェックも行うことができ、有効期限が過ぎているドアＩＤ２−３２を受信した場合には、開錠要求を送信しないようにできる。
【００５３】
また、リーダ装置２の記憶部２−３に記憶されている端末ＩＤリスト２−３２に入場許可を取り消した端末装置３に対応する端末ＩＤとともにその有効期限を記憶し、定期的にこの端末ＩＤリスト２−３２を更新するようにしてもよい。このようにすることにより、すでに有効期限が過ぎたものを取り除くことができるため、端末ＩＤリスト２−３２の記憶容量を減らすことができる。
【００５４】
また、有効期限を設けた場合には、リーダ装置２の時刻合わせを行う必要があるが、リーダ装置２をＬＡＮに接続することにより、Ｎｅｔｗｏｒｋ  Ｔｉｍｅ
Ｐｒｏｔｏｃｏｌ（ＮＴＰ）を用いることで時刻合わせができる。
また、端末装置３により入室操作が行われた場合に、この端末装置３とリーダ装置２との時刻合わせを行うようにしてもよい。この場合、端末装置３の時刻をリーダ装置２の時刻に合わせるようにする。このようにすることにより、ユーザが端末装置３の時刻の変更して入室しようとした場合においても対応できる。
【００５５】
また、端末装置３とリーダ装置２との間は、チャレンジ／レスポンス方式による暗号化データ送信と照合処理により通信を行うようにしてもよい。たとえば、端末装置３が、端末ＩＤ３−４２をリーダ装置２に送信する場合や、リーダ装置２が、ドアＩＤ２−３１を端末装置３に送信する場合に使用する。このようにすることにより、送受信されるデータがハッキング（盗み見）されて悪用されることを防止することができる。
【００５６】
【発明の効果】
本発明によれば、端末装置側で、開錠要求の可否の判断を行うことができるため、リーダ装置に入室を許可する端末装置のリストを格納するための大容量のメモリを必要とせず、入退出管理を行うことができる。
また、リーダ装置に、端末ＩＤ照合部と、記憶部に入室許可が取り消された端末装置の端末ＩＤリストを備え開錠要求の可否の判断を行うことにより、リーダ装置に入室を許可する端末装置のリストを格納するための大容量のメモリを必要とせず、またリーダ装置への処理の負荷および装置の複雑化を招くことなく、既に入室が許可されたユーザの入場を取り消す機能を実現することができる。
【図面の簡単な説明】
【図１】本実施の形態にかかる入退出管理システムの概略を示す構成図である。
【図２】本実施の形態１にかかる入退出管理システムにおけるリーダ装置と端末装置の機能を説明するための機能ブロック図であり、（ａ）はリーダ装置の機能ブロック図、（ｂ）が端末装置の機能ブロック図である。
【図３】本実施の形態１にかかる入退出管理システムにおけるリーダ装置と端末装置の制御部の機能を説明するための機能ブロック図であり、（ａ）はリーダ装置の制御部の機能ブロック図、（ｂ）が端末装置の制御部の機能ブロック図である。
【図４】本実施の形態１にかかる入退出管理システムの動作を説明するためのフローチャートである。
【図５】本実施の形態１にかかる入退出管理システムの動作を説明するためのフローチャートである。
【図６】本実施の形態１にかかる入退出管理システムにおける端末装置の動作を説明するためのフローチャートである。
【図７】本実施の形態２にかかる入退出管理システムにおけるリーダ装置と端末装置の機能を説明するための機能ブロック図であり、（ａ）はリーダ装置の機能ブロック図、（ｂ）が端末装置の機能ブロック図である。
【図８】本実施の形態２にかかる入退出管理システムの動作を説明するためのフローチャートである。
【図９】本実施の形態２にかかる入退出管理システムの動作を説明するためのフローチャートである。
【図１０】本実施の形態２にかかる入退出管理システムにおける端末装置の動作を説明するためのフローチャートである。
【符号の説明】
１、７…ネットワーク、２…リーダ装置、３…端末装置、４…コントローラ、５…電気錠、６…管理者端末装置。
【図１】
2004169378.tif 000003
【図２】
2004169378.tif 000004
【図３】
2004169378.tif 000005
【図４】
2004169378.tif 000006
【図５】
2004169378.tif 000007
【図６】
2004169378.tif 000008
【図７】
2004169378.tif 000009
【図８】
2004169378.tif 000010
【図９】
2004169378.tif 000011
【図１０】
2004169378.tif 000012